(57)【要約】【課題】  屋外等でバーベキューを行う際に、組立及び分解が容易にでき、かつ具材をまんべんなく焼き上げることを可能とするバーベキューコンロを提供する。【解決手段】  略長方形の４枚の側板と、略長方形の底板とで箱形を形成し、さらに４本の支脚からなるバーベキューコンロで、該側板には、それぞれの左右両端部に掛止爪と、それぞれの中央部に複数の空気穴を備え、かつ該側板のうち１枚の上端部に複数の略四角形の溝を設け、この側板に向かい合う側板の上端部にＶ字型の溝を設け、該略四角形の溝と該Ｖ字型の溝が、該バーベキューコンロに串を渡した際に、串が該溝を設けたそれぞれの側板に対して直角になり、かつ、複数の串がそれぞれ平行で、適度な間隔を保つことができるように、該側板の上端に設けられ、該支脚においては、該掛止爪を用いて該側板を掛止するための掛止用開口部を備えたことを特徴とする。【選択図】  図２
2005192828.tif 000002
【特許請求の範囲】
【請求項１】
略長方形の４枚の側板と、略長方形の底板とで箱形を形成し、さらに４本の支脚からなるバーベキューコンロにおいて、
該側板には、それぞれの左右両端部に掛止爪と、それぞれの中央部に複数の空気穴を備え、かつ該側板のうち１枚の上端部に複数の略四角形の溝を設け、この側板に向かい合う側板の上端部にＶ字型の溝を設け、
該略四角形の溝と該Ｖ字型の溝が、該バーベキューコンロに串を渡した際に、串が該溝を設けたそれぞれの側板に対して直角になり、かつ、複数の串がそれぞれ平行で、適度な間隔を保つことができるように、該側板の上端に設けられ、
該支脚においては、該掛止爪を用いて該側板を掛止するための掛止用開口部を備えたことを特徴とするバーベキューコンロ。
【請求項２】
請求項１に記載のバーベキューコンロに使用する串において、
細長い平板状の金属板を加工して形成される串で、
該金属板を略円形に形成した把持部と、該把持部から続き、該金属板をねじって形成した螺旋部と、該螺旋部から続き、該金属板をその長辺に沿って９０度に曲げて形成した調理部からなることを特徴とするバーベキュー用串。
【発明の詳細な説明】
【技術分野】
【０００１】
本発明は、屋外等でバーベキューを行う際に、組立及び分解が容易にでき、かつ具材をまんべんなく焼き上げることを可能とするバーベキューコンロに関する。
【背景技術】
【０００２】
従来より様々な種類のバーベキューコンロが提案されている。バーベキューコンロは基本的に屋外で用いるため、運搬性や収納性、あるいは炭等の燃料の補充や火力の調整の簡易性に着目した製品が多い。
【０００３】
特許文献１は、運搬性及び収納性に優れたバーベキューコンロに関するものである。このバーベキューコンロにおいては、運搬時にはカバン形状になるコンロ本体内に火格子、鉄板及び網等の焼き手段を収納し、使用時にはＶ字状に開口するコンロ本体の上部に前記焼き手段を装着してバーベキューを行うことができるように構成されている。
【０００４】
特許文献２は、燃料の補充や位置調整を容易に行うことを可能としたバーベキューコンロに関するものである。このバーベキューコンロは、コンロ本体周壁に燃料補充口と、該燃料補充口を開閉する開閉扉が設置されている。燃料の補充や位置調整の必要が生じたときは、コンロ本体上の調理用板を持ち上げることなく、該開閉扉を開いて、該燃料補充口から容易に燃料の補充や位置調整を行うことができる。
【０００５】
また、バーベキュー用串に関する先行技術としては、特許文献３に記載されたものがある。このバーベキュー用具では、串が回転するようになっており、被調理物の外周面を均一に焙ることができる。
【特許文献１】特開平１１−２５３３２４号公報
【特許文献２】特開２００１−１８６９９１号公報
【特許文献３】特開平９−３１３３６２号公報
【発明の開示】
【発明が解決しようとする課題】
【０００６】
しかしながら、いずれの先行技術も構造や構成部品が複雑であるため、製品化する上で経費がかかるという問題を有していた。また、使用中あるいは使用後のメンテナンスにも手間がかかる。
【課題を解決するための手段】
【０００７】
上記の課題を解決すべく、本発明は以下の構成を提供する。
請求項１に係る発明は、略長方形の４枚の側板と、略長方形の底板とで箱形を形成し、さらに４本の支脚からなるバーベキューコンロにおいて、該側板には、それぞれの左右両端部に掛止爪と、それぞれの中央部に複数の空気穴を備え、かつ該側板のうち１枚の上端部に複数の略四角形の溝を設け、この側板に向かい合う側板の上端部にＶ字型の溝を設け、該略四角形の溝と該Ｖ字型の溝が、該バーベキューコンロに串を渡した際に、串が該溝を設けたそれぞれの側板に対して直角になり、かつ、複数の串がそれぞれ平行で、適度な間隔を保つことができるように、該側板の上端に設けられ、該支脚においては、該掛止爪を用いて該側板を掛止するための掛止用開口部を備えたことを特徴とする。
【０００８】
請求項２に係る発明は、請求項１に記載のバーベキューコンロに使用する串において、細長い板状の金属板を加工して形成される串で、該金属板を略円形に形成した把持部と、該把持部から続き、該金属板をねじって形成した螺旋部と、螺旋部から続き、該金属板を長さに沿って９０度に曲げて形成した調理部からなることを特徴とする。
【発明の効果】
【０００９】
本発明のバーベキューコンロは、組立及び分解が容易で、かつ具材をまんべんなく焼き上げることができる。
【００１０】
本発明のバーベキューコンロは、構造が単純であるため、メンテナンスを容易に行うことができる。
【発明を実施するための最良の形態】
【００１１】
以下、実施例を示した図面を参照しつつ本発明の実施の形態を説明する。
図１は、組立前の本発明によるバーベキューコンロの一実施例を示す斜視図である。本発明によるバーベキューコンロは、前側板２、後側板５、右側板３及び左側板３’の計４枚の側板、４本の支脚７及び底板６から構成されている。
【００１２】
前記４枚の側板は横長の略長方形で、それぞれの左右両端部に掛止爪９が設けられている。掛止爪９は、側板にＵ字型の切り込みを入れ、この切り込み部を内側から外側に向かって鉤状に突出させて設けるのが好適である。
【００１３】
一方、前記支脚７は、縦長の略長方形の板を縦中心線で９０度に折り曲げ、上部に連結用開口部８を設けたものである。連結用開口部８の形状は特に制限されず、前記掛止爪９を簡単に通すことができる形状であればよい。
【００１４】
また、前記４枚の側板の下端には、バーベキューコンロ内部に向けて９０度に折り返した折返し部１０が設けられている。
【００１５】
図２は、図１に示したバーベキューコンロの組立後の状態を示す斜視図である。掛止爪９を連結用開口部８に掛止することにより、４枚の側板はそれぞれ支脚７に固定され、該４枚の側板は四角形の枠を形成する。さらに、折返し部１０に底板６を乗せることによって、バーベキューコンロは完成する。ボルト等を用いて組み立てる従来のものと比較すると、組立に手間や時間がかからない。また、構造が単純なため、調理後の燃料の後始末やコンロ本体の手入れが簡単に行うことができる。
【００１６】
バーベキューコンロ１を用いてバーベキューを行う際は、底板６に燃料を置き、具材を通した串を前側板２と後側板５に渡して調理する。調理中の串を安定させるために、前側板２と後側板の上端には複数の溝が設けられている。前側板２の溝１１は略四角形であり、後側板５の溝１２は９０度以上のＶ字型である。
【００１７】
前側板の溝１１と後側板の溝１２は、バーベキューコンロ１に串を渡した際に、串が前側板２及び後側板５に対して直角になるように、さらに、複数の串がそれぞれ平行で、適度な間隔を保つことができるように、前側板２及び後側板５の上端に設けるようにするのが好適である。
【００１８】
さらには、前側板２及び後側板５の中央部に複数の小さい略長方形の空気孔４を設けると、調理の際燃料の燃焼が助長されて好適である。
【００１９】
図３は、図２に示したバーベキューコンロ１の概略的なＡ−Ａ’断面図である。掛止爪９は、左側板３に切り込みを入れ、この切り込み部を内側から外側に向かって鉤状に突出させて設けられている。側板の取扱いや支脚への掛止時に手などが傷つく恐れがあるため、掛止爪９の形状は角を形成しないＵ字型であることが望ましい。
【００２０】
一方、支脚７には連結用開口部８を設ける。、側板と支脚を連結するときは、掛止爪９を連結用開口部８に通し、側板３が掛止するまで下方にずらして連結する。掛止爪９の突出部は、側板と支脚を連結した際、両者間に間隙ができない程度とする。
【００２１】
図４は、バーベキューコンロ１に使用する串の概略的な斜視図である。細長い平板状の金属板を加工して形成され、該金属板を略円形に形成した把持部１４と、該把持部から続き、該金属板をねじって形成した螺旋部１５と、該螺旋部から続き、該金属板の面の縦中心線を９０度に折り曲げて形成した調理部１６からなる。
【００２２】
図５（ｉ）、（ｉｉ）及び（ｉｉｉ）は、図４に示した串１３の概略的正断面図である。（ｉ）は図４のＢ−Ｂ’断面図、（ｉｉ）は図４のＣ−Ｃ’断面図、（ｉｉｉ）は図４のＤ−Ｄ’断面図である。
【００２３】
螺旋部１５は、串を形成する金属板の両面が交互に上下になるようにねじられて形成される。そのため、Ｂ−Ｂ’断面図及びＣ−Ｃ’断面図は、図５（ｉ）及び（ｉｉ）に図示される通り、金属板の面が左右及び上下に向いている状態となる。
【００２４】
調理部１６は、串を形成する金属板を、上面あるいは下面の縦中心線を９０度に折って形成される。そのため、Ｄ−Ｄ’断面図は、図５（ｉｉｉ）に図示される通り、中心で９０度を形成している状態となる。
【００２５】
図６は、具材１７を通した串１３を、バーベキューコンロ１に載置して実際に調理を行っている状態を示した概略的な部分的斜視図である。串の螺旋部を前側板溝１１に、調理部の先端を後側板溝１２に載置する。串１８は把持部を上向きにして載置した状態、串１９は串１８を右方向に回転させた状態を示す。
【００２６】
把持部を把持してイ−ロ方向に進退させると、前側板溝１１に載置されている螺旋部が、螺旋の角度に沿って串をハ−ニ方向に回転させる。
【００２７】
調理部が載置された後側板溝１２は、調理部より角度が大きいため、串をイーロ方向に進退させたときに左右どちらかに傾く。後側板溝１２の角度は、できるだけ具材全体に火がかかるように串の回転を大きくし、かつ串を安定して載置させることができるように、９０度以上かつ１８０度以下とする。
【００２８】
図７（ｉｖ）、（ｖ）及び（ｖｉ）は、図６の串１８及び串１９の概略的正断面図である。（ｉｖ）はＥ−Ｅ’断面図、（ｖ）はのＦ−Ｆ’断面図、（ｖｉ）は串１８を約９０度に傾斜させたときのＥ−Ｅ’断面図である。
【００２９】
もし串が丸棒状になっていると、串を回転させているうちに串の表面と具材の間に間隙ができる。そのため串と具材が共回りしない。しかし、本発明による串は、調理部の断面がＬ字型になっているので、図７に図示されているように串を回転させた場合でも、確実に具材も共回りし、具材をまんべんなく焼き上げることができる。
【図面の簡単な説明】
【００３０】
【図１】本発明によるバーベキューコンロの分解状態を概略的に示す斜視図である。
【図２】図１に示したバーベキューコンロの使用状態を概略的に示す斜視図である。
【図３】図２に示したバーベキューコンロにおいて、掛止爪と連結開口部が連結している状態を示す部分的断面図である。
【図４】本発明によるバーベキューコンロで使用する串の概略的に示す斜視図である。
【図５】図４に示した串の正断面図であり、（ｉ）はＢ−Ｂ’断面図、（ｉｉ）はＣ−Ｃ’断面図、（ｉｉｉ）はＤ−Ｄ’断面図である。
【図６】図４の串に具材を通したものを、図２に示したバーベキューコンロに載置して実際に調理を行っている状態を示した概略的な部分的斜視図である。
【図７】図６に示した串の正断面図であり、（ｉｖ）はＥ−Ｅ’断面図、（ｖ）はのＦ−Ｆ’断面図、（ｖｉ）は串を左に傾斜させたときのＥ−Ｅ’断面図である。
【符号の説明】
【００３１】
１  バーベキューコンロ
２  前側板
３  右側板
３’左側板
４  空気孔
５  後側板
６  底板
７  支脚
８  連結用開口部
９  掛止爪
１０  折返し部
１１  前側板溝
１２  後側板溝
１３  串
１４  把持部
１５  螺旋部
１６  調理部
１７  具材
１８  具材を通した串
１９  串１８を約９０度に傾斜させた串
【図１】
2005192828.tif 000003
【図２】
2005192828.tif 000004
【図３】
2005192828.tif 000005
【図４】
2005192828.tif 000006
【図５】
2005192828.tif 000007
【図６】
2005192828.tif 000008
【図７】
2005192828.tif 000009